(57)【要約】      （修正有）【課題】２以上の運転モードを有し、２以上の食品処理容器とともに作動し、及び／又は、２以上の向きで運転されてもよい駆動ユニットを有する食品処理装置を提供する。【解決手段】食品処理装置であって、処理ツールを駆動するように構成された駆動ユニット１００と、第１容器１０と、第２容器と、駆動ユニットの作動を可能にする第１起動箇所１１０と、駆動ユニットの作動を可能にする第２起動箇所であって、第１起動箇所が第２起動箇所と異なる場所に配置される第２起動箇所と、を備え、駆動ユニットが、第１運転モードにおいて第１容器と一緒に使用可能であり、第２運転モードにおいて第２容器と一緒に使用可能であり、第１運転モードにおいて、第１容器が駆動ユニットを支持し、使用者の第１起動箇所との干渉が駆動ユニットを作動し、第２運転モードにおいて、駆動ユニットが第２容器を支持し、使用者の第２起動箇所との干渉が駆動ユニットを作動する。【選択図】図１
0003200028.tif 000002
【実用新案登録請求の範囲】
【請求項１】
食品処理装置であって、
処理ツールを駆動するように構成された駆動ユニットと、
第１容器と、
第２容器と、
前記駆動ユニットの作動を可能にする第１起動箇所と、
前記駆動ユニットの作動を可能にする第２起動箇所であって、前記第１起動箇所が前記第２起動箇所と異なる場所に配置される第２起動箇所と、を備え、
前記駆動ユニットが、第１運転モードにおいて前記第１容器と一緒に使用可能であり、第２運転モードにおいて前記第２容器と一緒に使用可能であり、
前記第１運転モードにおいて、第前記１容器が前記駆動ユニットを支持し、使用者の前記第１起動箇所との干渉が前記駆動ユニットを作動し、
前記第２運転モードにおいて、前記駆動ユニットが前記第２容器を支持し、使用者の前記第２起動箇所との干渉が前記駆動ユニットを作動する、食品処理装置。
【請求項２】
前記第１起動箇所が前記駆動ユニット上のボタンを備える、請求項１に記載の食品処理装置。
【請求項３】
前記ボタンが前記駆動ユニットに対してガスケット封着される、請求項２に記載の食品処理装置。
【請求項４】
前記ボタンが前記駆動ユニットの端部に対して窪められる、請求項２に記載の食品処理装置。
【請求項５】
前記第２起動箇所が前記第２容器上の表面を備える、請求項１に記載の食品処理装置。
【請求項６】
前記駆動ユニットを作動するように構成された第１起動装置をさらに備え、前記第１起動装置は、使用者の前記第１起動箇所との干渉によってトリガされる、請求項１に記載の食品処理装置。
【請求項７】
前記第１起動装置が、使用者の前記第２起動箇所との干渉によってトリガされる、請求項６に記載の食品処理装置。
【請求項８】
前記第１起動装置がスイッチを備える、請求項６に記載の食品処理装置。
【請求項９】
前記第１起動装置がロッカースイッチを含む、請求項８に記載の食品処理装置。
【請求項１０】
前記駆動ユニットを作動するように構成された第２起動装置をさらに備え、前記第２起動装置は、使用者の前記第２起動箇所との干渉によってトリガされる、請求項１に記載の食品処理装置。
【請求項１１】
前記第２起動装置がスイッチを備える、請求項１０に記載の食品処理装置。
【請求項１２】
前記第２起動装置が、前記第２容器によって押し下げ可能な押し下げ可能プランジャとの接触によってトリガされる、請求項１０に記載の食品処理装置。
【請求項１３】
前記第１容器が蓋、底側表面及び側壁を含み、
食品を含有する容積が、前記蓋、前記底側表面及び前記側壁の間で規定され、
前記蓋が前記第１運転モードにおいて前記駆動ユニットと相互作用する、請求項１に記載の食品処理装置。
【請求項１４】
前記蓋が、トランスミッションシステムと、前記トランスミッションシステムに接続されて前記駆動ユニットによって駆動されるように構成された入力シャフトと、前記トランスミッションシステムに接続されて前記処理ツールを駆動するように構成された出力シャフトと、を備え、
前記入力シャフトの第１速度での回転が、前記出力シャフトを第２の異なる速度で回転させる、請求項１３に記載の食品処理装置。
【請求項１５】
前記駆動ユニットが、前記第１運転モードで使用されるとき、支持表面に対する第１の向きを有し、前記駆動ユニットが、前記第２運転モードで使用されるとき、支持表面に対する第２の向きを有し、前記駆動ユニットの前記第１の向きは、前記駆動ユニットの前記第２の向きと比較して垂直に上下反転される、請求項１に記載の食品処理装置。
【請求項１６】
前記駆動ユニットが第１端部及び第２端部を含み、
前記第１運転モードにおいて前記駆動ユニットの前記第１端部が前記第１容器と相互作用し、
前記第２運転モードにおいて前記駆動ユニットの前記第１端部が前記第２容器と相互作用する、請求項１に記載の食品処理装置。
【請求項１７】
前記駆動ユニットが第１端部及び第２端部を含み、前記第１運転モードにおいて前記駆動ユニットの前記第１端部が前記第１容器と相互作用し、前記第２運転モードにおいて前記駆動ユニットの前記第２端部が前記第２容器と相互作用する、請求項１に記載の食品処理装置。
【請求項１８】
前記第１運転モードにおいて、前記第１起動箇所が使用者によってアクセス可能であり、
前記第２運転モードにおいて、前記駆動ユニットが平坦な支持表面上に直立姿勢で置かれるとき、使用者は前記第１起動箇所を起動することを妨げられる、請求項１に記載の食品処理装置。
【請求項１９】
前記第２運転モードにおいて、前記パワーヘッドが前記平坦な支持表面上に直立姿勢で置かれるとき、前記第１起動箇所は使用者によってアクセス不能である、請求項１８に記載の食品処理装置。
【請求項２０】
食品処理装置であって、
処理ツールを駆動するように構成された駆動ユニットと、
前記駆動ユニットの作動を可能にする第１起動箇所と、
第１容器と、
第２容器と、を備え、
前記駆動ユニットが、第１運転モードにおいて前記第１容器と一緒に使用可能であり、第２運転モードにおいて前記第２容器と一緒に使用可能であり、
前記第１運転モードにおいて、前記第１起動箇所が使用者によってアクセス可能であり、
前記第２運転モードにおいて、前記駆動ユニットが平らな支持表面上に直立姿勢で置かれているとき、使用者は前記第１起動箇所と干渉することを妨げられる、食品処理装置。
【請求項２１】
前記第２運転モードにおいて、前記パワーヘッドが前記平坦な支持表面上に直立姿勢で置かれるとき、前記第１起動箇所は前記使用者によってアクセス不能である、請求項２０に記載の食品処理装置。
【請求項２２】
前記第１起動箇所が前記駆動ユニットの端部に対して窪められる、請求項２０に記載の食品処理装置。
【請求項２３】
前記駆動ユニットは、前記第１運転モードで使用されるとき、支持表面に対する第１の向きを有し、
前記駆動ユニットは、前記第２運転モードで使用されるとき、前記支持表面に対する第２の向きを有し、
前記駆動ユニットの前記第１の向きは、前記駆動ユニットの前記第２の向きと比較して垂直に上下反転される、請求項２０に記載の食品処理装置。
【請求項２４】
前記第１運転モードにおいて、前記第１容器が前記駆動ユニットを支持し、
前記第２運転モードにおいて、前記駆動ユニットが前記第２容器を支持する、請求項２０に記載の食品処理装置。
【請求項２５】
前記第２運転モードにおいて、前記駆動ユニットが、前記第１起動箇所と異なる第２起動箇所で作動される、請求項２０に記載の食品処理装置。
【請求項２６】
前記第２起動箇所が前記第２容器の表面を備える、請求項２５に記載の食品処理装置。
【請求項２７】
前記第１起動箇所が使用者作動ボタンを備える、請求項２０に記載の食品処理装置。
【請求項２８】
前記使用者作動ボタンがロッカースイッチを備える、請求項２７に記載の食品処理装置。
【請求項２９】
前記使用者作動ボタンが前記駆動ユニットに対してガスケット封着される、請求項２７に記載の食品処理装置。
【請求項３０】
食品処理装置であって、
処理ツールを駆動するように構成された駆動ユニットと、
蓋、底側表面及び側壁を含む第１容器であって、食品を含有する容積が前記蓋、前記底側表面及び前記側壁の間で規定され、前記蓋が前記駆動ユニットと相互作用する、第１容器と、を備え、
前記駆動ユニットが第１の位置合わせ特徴部を含み、前記蓋が前記第１の位置合わせ特徴部と協働する第２の位置合わせ特徴部を含み、その結果、前記駆動ユニットを前記蓋の上に置くと、前記第１及び第２の位置合わせ特徴部間の接触及び前記駆動ユニットの重さにより、前記駆動ユニットが、前記蓋に対して位置合わせされた向きに移動される、食品処理装置。
【請求項３１】
前記第１及び第２の位置合わせ特徴部間の接触により、前記駆動ユニットが、前記蓋に対して位置合わせされた向きへ回転させられる、請求項３０に記載の食品処理装置。
【請求項３２】
前記第１の位置合わせ特徴部が、前記駆動ユニット及び前記蓋が互いに物理的に接触する方向に対して傾斜した第１表面を含み、前記第２の位置合わせ特徴部が、前記駆動ユニット及び前記蓋が互いに接触する方向に対して傾斜した第２表面を含む、請求項３０に記載の食品処理装置。
【請求項３３】
前記第１及び第２表面が、前記駆動ユニットの駆動結合部の回転軸と平行な軸の周りで湾曲される、請求項３２に記載の食品処理装置。
【請求項３４】
第２容器をさらに備え、
前記駆動ユニットが、第１運転モードにおいて前記第１容器と一緒に使用可能であり、
前記駆動ユニットが、第２運転モードにおいて前記第２容器と一緒に使用可能である、請求項３０に記載の食品処理装置。
【請求項３５】
前記駆動ユニットが、前記第１運転モードで使用されるとき、支持表面に対する第１の向きを有し、前記駆動ユニットが、前記第２運転モードで使用されるとき、前記支持表面に対する第２の向きを有し、前記駆動ユニットの前記第１の向きは、前記駆動ユニットの前記第２の向きと比較して垂直に上下反転される、請求項３４に記載の食品処理装置。
【請求項３６】
処理ツールを駆動するように構成された駆動ユニットであって、
第１及び第２の起動装置を含み、前記駆動ユニットが第１運転モードにおいて第１容器と一緒に使用可能であり、第２運転モードにおいて第２容器と一緒に使用可能であり、
前記第１運転モードにおいて、前記第１容器が前記駆動ユニットを支持し、前記第１起動装置のトリガが前記駆動ユニットを作動し、
前記第２運転モードにおいて、前記駆動ユニットが前記第２容器を支持し、前記第２起動装置のトリガが前記駆動ユニットを作動する、駆動ユニット。
【請求項３７】
前記第１起動装置が第１スイッチを含み、前記第１スイッチの閉鎖が前記駆動ユニットを作動する、請求項３６に記載の駆動ユニット。
【請求項３８】
前記第２起動装置が第２スイッチを含み、前記第２スイッチの閉鎖が前記駆動ユニットを作動する、請求項３６に記載の駆動ユニット。
【請求項３９】
駆動ユニットを第１運転モードにおいて第１容器と一緒に配置するステップであって、前記第１容器が支持表面上で前記駆動ユニットを支持する、配置するステップと、
前記駆動ユニットを前記第１運転モードで作動するために第１起動箇所と干渉するステップと、
前記駆動ユニットを前記第１容器から取り外すステップと、
前記駆動ユニットを垂直に上下反転させるステップと、
前記駆動ユニットを前記支持表面上に置くステップと、
前記駆動ユニットを第２運転モードにおいて第２容器と一緒に配置するステップであって、前記駆動ユニットが前記第２容器を支持する、配置するステップと、
前記駆動ユニットを前記第２運転モードで作動するために第２起動箇所と干渉するステップであって、前記第２起動箇所が前記第１起動箇所と異なる場所に配置されている、干渉するステップと、を含む方法。
【請求項４０】
前記第１起動箇所が前記駆動ユニット上のボタンを含む、請求項３９に記載の方法。
【請求項４１】
前記第１起動箇所と干渉することが、前記ボタンを押すことを含む、請求項４０に記載の方法。
【請求項４２】
前記第２起動箇所が前記第２容器の表面を含む、請求項３９に記載の方法。
【請求項４３】
前記第２起動箇所と干渉することが、前記第２容器の前記表面を押すことを含む、請求項４２に記載の方法。
【請求項４４】
前記第１起動箇所と干渉することにより、前記駆動ユニット内の第１スイッチが閉じられ、それにより前記駆動ユニットが作動される、請求項３９に記載の方法。
【請求項４５】
前記第２起動箇所と干渉することにより、前記駆動ユニット内の第２スイッチが閉じられ、それにより前記駆動ユニットが作動される、請求項３９に記載の方法。
【請求項４６】
前記第２起動箇所と干渉することにより、前記駆動ユニット内の第１スイッチが閉じられ、それにより前記駆動ユニットが作動される、請求項４４に記載の方法。
【請求項４７】
前記第１運転モードにおいて、前記第１起動箇所が使用者によってアクセス可能であり、
前記第２運転モードにおいて、前記駆動ユニットが前記支持表面上に直立姿勢で置かれるとき、使用者は前記第１起動箇所を起動することを妨げられる、請求項３９に記載の方法。
【考案の詳細な説明】
【技術分野】
【０００１】
本明細書中の態様は概して、食品処理装置、及び、食品処理装置を使用した食品処理方法に関する。より具体的には、本明細書に開示される態様は、２以上の動作モードで、様々な食品処理容器と一緒に、及び／又は、２以上の向きで、様々な処理ツールを駆動するために使用可能な駆動ユニットに関する。
【背景技術】
【０００２】
混合器などの食品処理器は、駆動ユニットを使用して１以上の羽根を回転させて食品を処理する。多くの食品処理器は、食品処理容器を支持する駆動ユニットを有する。
【考案の概要】
【課題を解決するための手段】
【０００３】
１つの説明に役立つ実施形態によれば、食品処理装置は、処理ツールを駆動するように構成された駆動ユニットと、第１容器と、第２容器と、駆動ユニットの作動を可能にする第１起動箇所と、駆動ユニットの作動を可能にする第２起動箇所と、を含む。第１起動箇所は、第２起動箇所と異なる場所に配置される。駆動ユニットは、第１運転モードにおいて第１容器と一緒に使用可能であり、第２運転モードにおいて第２容器と一緒に使用可能である。第１運転モードにおいて、第１容器が駆動ユニットを支持し、使用者の第１起動箇所との干渉が駆動ユニットを作動する。第２運転モードにおいて、駆動ユニットが第２容器を支持し、使用者の第２起動箇所との干渉が駆動ユニットを作動する。
【０００４】
別の説明に役立つ実施形態によれば、食品処理装置は、処理ツールを駆動するように構成された駆動ユニットと、駆動ユニットの作動を可能にする第１起動箇所と、第１容器と、第２容器と、を含む。駆動ユニットは、第１運転モードにおいて第１容器と一緒に使用可能であり、第２運転モードにおいて第２容器と一緒に使用可能である。第１運転モードにおいて、第１起動箇所は使用者によってアクセス可能である。第２運転モードにおいて、駆動ユニットが平らな支持表面上に直立姿勢で置かれているとき、使用者は第１起動箇所を起動することを妨げられる。
【０００５】
さらに別の説明に役立つ実施形態によれば、食品処理装置は、処理ツールを駆動するように構成された駆動ユニットと、蓋、底側表面及び側壁を含む第１容器と、を含む。食品を含有する容積は蓋、底側表面及び側壁の間で規定され、蓋が駆動ユニットと相互作用する。駆動ユニットは第１位置合わせ特徴部を含み、蓋は第１位置合わせ特徴部と協働する第２位置合わせ特徴部を含み、その結果、駆動ユニットを蓋の上に置くと、第１及び第２位置合わせ特徴部間の接触及び駆動ユニットの重さにより、駆動ユニットは、蓋に対して位置合わせされた向きに移動される。
【０００６】
さらに別の説明に役立つ実施形態によれば、処理ツールを駆動するように構成された駆動ユニットは、第１及び第２起動装置を含み、駆動ユニットは第１運転モードにおいて第１容器と一緒に使用可能であり、第２運転モードにおいて第２容器と一緒に使用可能である。第１運転モードにおいて、第１容器は駆動ユニットを支持し、第１起動装置のトリガが駆動ユニットを作動する。第２運転モードにおいて、駆動ユニットが第２容器を支持し、第２起動装置のトリガが駆動ユニットを作動する。
【０００７】
１つの別の説明に役立つ実施形態によれば、方法は、駆動ユニットを第１運転モードにおいて第１容器と一緒に配置するステップを含み、ここで第１容器は支持表面上で駆動ユニットを支持する。方法はまた、駆動ユニットを第１運転モードで作動するために第１起動箇所と干渉するステップ、駆動ユニットを第１容器から取り外すステップ、駆動ユニットを垂直に上下反転させるステップ、駆動ユニットを支持表面上に置くステップ、駆動ユニットを第２運転モードにおいて第２容器と一緒に配置するステップであって駆動ユニットが第２容器を支持するステップ、及び駆動ユニットを第２運転モードで作動するために第２起動箇所と干渉するステップであって第２起動箇所が第１起動箇所と異なる場所に配置されているステップを含む。
【０００８】
添付の図面は原寸に比例して描かれることを目的としない。図面中、様々な図に示される同一又はほぼ同一の各構成要素は同様の番号で示される。明確にするため、図面ごとに全ての構成要素に番号を付けるということはしない。次に本考案の様々な実施形態を、添付図面を参照して、例として記載する。
【図面の簡単な説明】
【０００９】
【図１】一態様による第１運転モードの駆動ユニットを有する食品処理装置の斜視図である。
【図２】図１の駆動ユニットを第２運転モードで示す。
【図３Ａ】食品処理装置を示し、ここで駆動ユニットは第１運転モードで示されている。
【図３Ｂ】食品処理装置を示し、ここで駆動ユニットは第２運転モードで示されている。
【図４Ａ】図１に示される駆動ユニットの第２端部の斜視図である。
【図４Ｂ】図４Ａに示される駆動ユニットの一部の断面図である。
【図５】一態様による第１容器及び容器蓋の斜視図である。
【図６】図５に示される容器蓋の拡大斜視図である。
【図７】図１に示される駆動ユニットの第２端部の別の斜視図である。
【図８Ａ】一態様による第２容器の外側の斜視図である。
【図８Ｂ】図８Ａに示される第２容器の底側平面図である。
【図９】図１に示される食品処理装置の側面図である。
【図１０Ａ】一態様による第１起動箇所を有する駆動ユニットの第１端部の拡大図である。
【図１０Ｂ】窪められた第１起動箇所を示す駆動ユニットの側面図である。
【図１１】駆動ユニットの第１端部の拡大図であり、外側ボタン表面及びガスケットシールが取り除かれている。
【図１２Ａ】一態様による、複数のプランジャ及びスイッチを明らかにするために外側ハウジングの一部が取り除かれた、又は透視された、駆動ユニットの斜視図である。
【図１２Ｂ】図１２Ａに示される駆動ユニットの反対側の斜視図である。
【図１３】プランジャ及びスイッチ間の干渉を示す駆動ユニットの拡大図である。
【図１４Ａ】一態様による突起を有する容器蓋を備えた容器を示す。
【図１４Ｂ】図１４Ａに示される容器及び容器蓋の上側平面図である。
【図１４Ｃ】２つのインターロックを明らかにするために図１４Ａの蓋を透視した状態で示す。
【図１５Ａ】ある態様による駆動ユニットのスイッチの概略図である。
【図１５Ｂ】ある態様による駆動ユニットの作動構成の概略図である。
【図１６Ａ】第２運転モードで使用するために第２の向きに配置された駆動ユニットの斜視図であり、外側ハウジングの一部が隠されている、又は透視した状態で示されている。
【図１６Ｂ】図１６Ａに示される駆動ユニットの反対側の斜視図である。
【図１７Ａ】一態様による第１運転モードで駆動ユニットの異なる実施形態を作動する方法を示す。
【図１７Ｂ】図１７Ａの駆動ユニットを第２運転モードで作動する方法を示す。
【図１８】図１８Ａ〜図１８Ｃは、図１７Ａに示される第１運転モードで駆動ユニットを作動する方法の概略図である。
【図１９】図１９Ａ〜図１９Ｃは、図１７Ａの駆動ユニットを第１運転モードで作動する別の方法の概略図である。
【図２０】一態様による容器蓋の斜視図である。
【図２１】一態様による容器の上側部分の斜視図である。
【図２２Ａ】一態様による、容器及び容器蓋の斜視図であり、容器蓋は容器のハンドルを覆うタブを有する。
【図２２Ｂ】容器蓋が取り除かれた状態の図２２Ａに示される容器の斜視図である。
【図２３】一態様によるトランスミッションシステムを収容する容器蓋の分解図である。
【図２４Ａ】一態様による容器蓋の下側を示す。
【図２４Ｂ】蓋の底側表面が取り除かれた状態の図２４Ａの容器蓋を示す。
【図２５】一態様による排液孔を有する駆動ユニットの第２端部の斜視図である。
【図２６Ａ】図２５に示される排液孔を有する駆動ユニットのセグメントの下側の斜視図である。
【図２６Ｂ】リングに結合されている図２６Ａに示されるセグメントの斜視図である。
【図２７Ａ】図２６Ｂに示されるリングの斜視図である。
【図２７Ｂ】図２７Ａに示されるリングの反対側の斜視図である。
【図２７Ｃ】図２７Ａに示されるリングの拡大図であり、リングは排液収集器及び排液出口を有する。
【図２８Ａ】駆動ユニットに一体化された図２７Ａに示されるリングの斜視図である。
【図２８Ｂ】図２８Ａに示されるリングの排液出口の拡大図である。
【図２９Ａ】一態様による第１運転モードにおける駆動ユニットの別の実施形態の概略図である。
【図２９Ｂ】第２運転モードにおける図２９Ａの駆動ユニットの概略図である。
【図３０】一実施形態による容器内に入れ子にされたボウルの斜視図である。
【図３１】一実施形態による持ち上げタブを含むボウルの斜視図である。
【図３２Ａ】図３１のタブの正面図である。
【図３２Ｂ】図３１のタブの側面図である。
【図３３】一実施形態による把持ディスクを有するドウフックの上側斜視図である。
【図３４】図３３のドウフックの底側斜視図である。
【図３５Ａ】図３３のドウフックの上面図である。
【図３５Ｂ】図３３の把持ディスクの側面図である。
【図３５Ｃ】図３３の把持ディスクの側面図である。
【考案を実施するための形態】
【００１０】
食品処理器は典型的に、羽根、ドウフック、泡立て器等などの１以上の処理ツールを駆動するように構成された駆動ユニットを含む。本考案者らは、使用者は様々な食品及び飲料を調製するために多数の異なる台所ツール及び器具を使用することを認識した。本考案者らはまた、そのような器具の数及びサイズの低減が、限定された天板及び保管スペースの問題、並びに、乱雑さを減らしたいという要望に対処することを助け得ることを認識した。本考案者らは、これらの問題に対処する１つの方法は、慣習的にそれら自体の別個の駆動ユニットをそれぞれ必要とした異なる処理ツールを駆動するために使用可能な１つの駆動ユニットを提供することであると分かった。本明細書に提供されるのは、駆動ユニットが、２以上の運転モードを有し、異なる食品処理容器と一緒に機能し、及び／又は、２以上の向きで使用されてもよい、実施形態である。
【００１１】
本明細書で使用する際、用語「処理ツール」は、食品及び他の材料を処理するために使用されるいずれかのツールのことを指す。処理ツールは、限定しないが、１以上の羽根、１以上の泡立て器、１以上の砕氷器、１以上のダイサー、１以上のすりおろし器、１以上の破砕機、１以上の組み合わせられた破砕機／スライサー、１以上の角切り器、１以上のドウフック、１以上のホイッパー、１以上のスライサー、及び１以上のフレンチフライカッターを含み得る。場合によっては、処理ツールは、食品処理器容器を洗浄するために使用される１以上のツールであり得る。本明細書で使用する際、用語「食品」は、いずれかの固体又は液体の食べ物、及び固体食品及び液体食品のいずれかの混合物を含む。
【００１２】
本明細書で使用する際、用語「接続された」、「取り付けられた」又は「結合された」は直接的な接続、取付け及び結合に限定されず、２つの構成要素は中間構成要素を介して互いに接続、取付け又は結合可能である。
【００１３】
一態様によれば、駆動ユニットは２以上の運転モードを有し、各運転モードは異なる作動様態を有する。駆動ユニットは、使用者が１以上の起動箇所と干渉することによって作動可能なモータを含んでもよい。一実施形態によれば、図１に示されるように、食品処理装置１は第１運転モードで運転され、ここでは駆動ユニット１００は第１容器１０によって支持されている。駆動ユニット１００は第１端部１２０及び第２端部１２１を含む。第１運転モードにおいて、第２端部１２１は蓋２００に係合し、駆動ユニットの駆動結合部が、第１容器内の、１以上の羽根などの１以上の食品処理ツールを駆動する。使用者は、第１端部１２０に配置された第１起動箇所１１０と干渉して駆動ユニットを作動することができる。本明細書で使用する際、「起動箇所」は、駆動ユニットを作動するために使用者が干渉する食品処理装置のいずれかの部分のことを指す。場合によっては、以下に記載されるように、起動箇所との干渉は、中間構成要素を介して駆動ユニットを作動し得る。例えば、いくつかの実施形態では、起動箇所との干渉は、起動装置（例えばスイッチ）をトリガし、これが次に駆動ユニットを作動する。いくつかの実施形態では、第１起動箇所は、使用者が押す及び／又は引くことができるボタンである。しかしながら、スイッチ、ノブ、スライダ、モーションセンサ、タッチスクリーン、使用者が表面を押し下げると駆動ユニット全体が下方へ移動しスイッチを起動するように構成された接触表面、又は他のいずれかの適切な構成など、第１起動箇所の他の構成が可能であることは認識されよう。
【００１４】
食品処理装置１の第２運転モードが図２に示され、ここでは駆動ユニット１００は第２容器２０を支持している。第２運転モードにおいて、駆動ユニット１００の第２端部１２１は第２容器２０に係合する。駆動ユニットは、第２容器内で、１以上の羽根などの処理ツール２５を駆動する駆動結合部を有する。第２運転モードにおいて、使用者は第２容器２０の上端部に配置された第２起動箇所１４０と干渉して駆動ユニットを作動する。いくつかの実施形態では、第２起動箇所は、使用者が接触可能な第２容器上の表面である。使用者が第２起動箇所１４０を押し下げると、容器２０全体が下方へ移動し、駆動ユニット１００内の１以上の起動装置をトリガし、これが次に、以下で詳細に考察されるように駆動ユニットを作動する。しかしながら、この態様は必ずしもそのように限定されないので、押し下げられる及び／又は引かれるボタン、スイッチ、ノブ、スライダ、モーションセンサ、タッチスクリーン、又は他のいずれかの適切な構成など、第２起動箇所の他の構成が可能であることは認識されよう。
【００１５】
駆動ユニットは、任意の適切な容積及び設計を有する容器と一緒に使用されてもよい。場合によっては、容器は、複数人分の給仕量を保持することができる大型ピッチャ（例えば第１容器１０）である。そのような実施形態では、容器は、内容物の注ぎ及び／又は容器の持上げ及び移動を容易にするために、ハンドル及び注ぎ口を含んでもよい。蓋が提供されてもよく、また、蓋は食品が通過できる穴を含んでもよく、その結果、食品を、蓋を取り除くことなく、食品を含有した容器の容積へ添加又はそれから取り出すことができる。容器はまた、より小型の一人分給仕用ジャー（例えば第２容器２０）であってもよく、それから使用者は第２容器内で処理された食品又は飲料を消費することができる。場合によっては、処理ツールは、使用者がジャーから食品又は飲料を消費する前に、ジャーから取り除かれる。
【００１６】
図３Ａ〜図３Ｂで見られるように、いくつかの実施形態では、同じ駆動ユニット１００を２つの異なる運転モードで使用することができる。図３Ａは第１運転モードを示し、ここでは使用者は駆動ユニット１００を作動するために第１起動箇所１１０と干渉する。図３Ａに示される実施形態では、第１起動箇所１１０は、駆動ユニット１００を作動するために使用者が押すボタンを含む。図３Ｂは第２運転モードを示し、ここでは使用者は駆動ユニットを作動するために第２起動箇所１４０で容器２０を押し下げることによって第２起動箇所１４０と干渉する。このように、第１運転モードの起動箇所は第２運転モードの起動箇所と異なる箇所にあり、従って、駆動ユニットの作動は、第２運転モードでは第１運転モードと比較して異なる方法で実行される。
【００１７】
一態様によれば、駆動ユニットは、第２運転モードにおいて第１運転モードと比較して支持表面に対して異なる向きを有する。図３Ａで見られるように、駆動ユニット１００は、第１運転モードで使用されるとき支持表面５に対して第１の向きを有し、第１運転モードでは第１端部１２０は第２端部１２１の上に配置され、駆動ユニット１００は容器１０に支持される。図３Ｂで見られるように、駆動ユニット１００は、第２運転モードで使用されるとき支持表面５に対して第２の向きを有し、第２運転モードでは第２端部１２１が第１端部１２０の上にあり、駆動ユニット１００は容器によって支持されるというよりも容器２０を支持する。支持表面５に対する駆動ユニット１００の第１向きは、駆動ユニットの第２の向きと比較して上下が垂直に反転される。このように、使用者は同じ駆動ユニット１００を２つの異なる構成で、異なる容器及び／又は処理ツールと一緒に使用可能である。
【００１８】
各容器１０、２０は処理ツールを含む。使用者は最初に駆動ユニット１００を使用して第１容器１０内の第１処理ツールを駆動し、次に駆動ユニットを第１容器から切り離し、駆動ユニット１００を上下反転させ、駆動ユニット１００の第１端部１２０を支持表面５の上に置き、第２容器２０を駆動ユニットの第２端部１２１に結合し、第２処理ツールを駆動することができる。
【００１９】
駆動ユニットが容器及び処理ツールと相互作用する様態をここで考察する。いくつかの実施形態では、図４Ａで見られるように、駆動ユニット１００の第２端部１２１は、第１運転モードにおいて第１容器１０の蓋２００と相互作用し（図１参照）、駆動結合部１２４を含む。駆動ユニット１００の断面図である図４Ｂで見られるように、駆動結合部１２４は駆動シャフト１２５を介してモータ１２６に結合される。
【００２０】
図５で見られるように、第１容器１０は、容器１０から取り外すことができる蓋２００を含む。食品を含有する容積は、蓋２００、容器の内側底表面及び容器の内側側壁の間で規定される。蓋は、第１運転モードにおいて駆動ユニット１００の第２端部１２１と相互作用する結合領域２１０を有する。図１で見られるように、駆動ユニットは、蓋２００の結合領域２１０（図５参照）の上に適合し、それにより駆動ユニット１００が蓋２００に結合されているとき結合領域２１０は見えない。図５に戻ると、結合領域２１０は、駆動ユニットの駆動結合部１２４を受け入れる被駆動結合部２２０を含む。図６は蓋２００の結合領域２１０の拡大図を示す。
【００２１】
一態様によれば、駆動ユニット及び容器蓋は、駆動ユニットと容器蓋との適切な位置合わせを促すのに役立つ位置合わせ特徴部を含む。一実施形態では、図４Ａで見られるように、第２端部１２１はまた、容器蓋の位置合わせ特徴部と協働する、湾曲した傾斜表面１１２などの１以上の位置合わせ特徴部を含む。いくつかの実施形態では、例えば、図４Ａに示されるように、駆動ユニットの第２端部の位置合わせ特徴部は、駆動ユニットと蓋が互いに物理的に接触する方向に対して傾斜された表面を含む。代わりに又はそれに加えて、いくつかの実施形態では、例えば、図４Ａに示されるように、駆動ユニットの第２端部の位置合わせ特徴部は、駆動結合部１２４の回転軸と平行な軸の周りで曲げられる。図５及び図６で見られるように、結合領域２１０は、駆動ユニット１００の湾曲した傾斜表面１１２と協働する、湾曲した傾斜表面２１２などの位置合わせ特徴部を含む。いくつかの実施形態では、例えば、図５に示されるように、容器蓋の位置合わせ特徴部は、駆動ユニットと蓋が互いに接触する方向に対して傾斜した表面を含む。代わりに又はそれに加えて、いくつかの実施形態では、例えば、図５に示されるように、容器蓋の位置合わせ特徴部は、被駆動結合部２２０の回転軸と平行な軸の周りで曲げられる。
【００２２】
いくつかの実施形態では、駆動ユニット及び容器蓋の位置合わせ特徴部は、駆動ユニットと容器蓋が第１運転モードで運転するために１つにされたとき、その２つの構成要素間の適切な位置合わせを促すように構成且つ配置される。いくつかの実施形態では、駆動ユニット及び容器蓋の位置合わせ特徴部は、駆動ユニットが容器蓋に対して適切な位置合わせの向きを自ら探すことを可能にする。駆動ユニット１００を容器蓋２００に結合するために、使用者は駆動ユニット１００を取り上げ、駆動ユニット１００の第２端部１２１を蓋２００の結合領域２１０の上に／を覆って配置する。いったん駆動ユニット１００の第２端部１２１を蓋２００の結合領域２１０の上に／を覆って配置したら、使用者は駆動ユニット１００を放すことができ、駆動ユニット１００は容器蓋２００に対する適切な位置合わせの向きを自ら探し始める。駆動ユニット１００の湾曲した傾斜表面１１２が、容器蓋２００の湾曲した傾斜表面２１２と接触し、駆動ユニット１００の重さのせいで表面２１２を滑り落ち、その結果、駆動ユニット１００が容器蓋の傾斜表面２１２の最下地点に達し、それ以上下方へ移動できなくなるまで、駆動ユニット１００を、位置合わせされた向きに向かって蓋２００に対して自動的に回転させる。場合によっては、この最下地点が位置合わせされた向きである。
【００２３】
他の実施形態では、使用者がいったん駆動ユニットを蓋の結合領域の上に配置し駆動ユニットを放したら、駆動ユニットは位置合わせされた向きに向かって蓋に対して自動的に移動しない。いくつかの実施形態では、使用者は、駆動ユニットを蓋に対して位置合わせされた向きに向かって移動するために、駆動ユニットに力を適用し続ける。場合によっては、駆動ユニット及び容器蓋の位置合わせ特徴部は、位置合わせされた向きに向かう駆動ユニットの移動を促し得る。例えば、いくつかの実施形態では、使用者は、駆動ユニットを位置合わせされた向きに配置するために駆動ユニットを蓋に対して回転し、場合によっては、駆動ユニット及び蓋の位置合わせ特徴部は、位置合わせされた向きに向かう蓋に対する駆動ユニットの回転を促す。
【００２４】
いくつかの実施形態では、図４Ａ及び図６で見られるように、駆動ユニット１００の第２端部１２１及び容器蓋２００は、容器蓋２００の凹部２１６と協働する駆動ユニット１００の突起１１６などのさらなる位置合わせ特徴部を有する。使用者が蓋２００の結合領域２１０の上に／を覆って駆動ユニット１００を配置し駆動ユニットを放すと、駆動ユニットの湾曲した傾斜表面１１２が、駆動ユニット１００の重さのせいで容器１０の湾曲した傾斜表面２１２を滑り落ち、それにより突起１１６が凹部２１６に入るまで駆動ユニット１００を蓋２００に対して回転させる。
【００２５】
駆動ユニットは位置合わせされた向きに達するように蓋に対して回転するが、この態様はそのように限定されないので、他の構成が可能であることは認識されよう。例えば、回転の代わりに、又は回転に加えて、駆動ユニットは蓋に対して横方向に摺動してもよい。いくつかの実施形態では、容器蓋及び駆動ユニットの傾斜表面は、湾曲する代わりに実質的に直線状であってもよい。いくつかの実施形態では、蓋が駆動ユニットに対して移動し、蓋及び駆動ユニットを互いに位置合わせされた向きに配置する。
【００２６】
図４〜図６に示される実施形態では、駆動ユニット１００は蓋２００に対して２つの位置合わせされた向きを有し、ここで位置合わせされた向きは互いに１８０度回転される。他の実施形態では、蓋と駆動ユニットの間に１つの位置合わせされた向きがあってもよい。さらに他の実施形態では、３、４、５、６、７、８又は他の任意の適切な数の位置合わせされた向きがあってもよく、この態様はそのように制限されない。さらに、位置合わせされた向きは、互いに任意の適切な度数回転されてもよい。
【００２７】
第２運転モードにおいて、図２に示されるように、第２容器２０は駆動ユニット１００によって支持される。第２容器２０の底端部は駆動ユニットの第２端部１２１と相互作用する。図８Ａ〜図８Ｂで見られるように、第２容器２０の底端部は複数のタブ２２を含む。図７で見られるように、駆動ユニットの第２端部１２１は、第２容器のタブ２２と協働する複数のプランジャ１３０、１３２、１３４及び１３６を含む。容器２０が駆動ユニット１００によって支持されているとき、容器２０のタブ２２は駆動ユニット１００のプランジャ１３０、１３２、１３４及び１３６の上に載っている。以下でより詳細に考察されるように、容器２０の下方への移動により、容器２０のタブ２２は、駆動ユニット１００のプランジャ１３０、１３２、１３４及び１３６の上に押し下げられ、これが駆動ユニットを作動する。
【００２８】
駆動ユニットの作動に関連する態様を次に考察する。一態様によれば、起動箇所は駆動ユニットの第１端部に窪められ、その結果、駆動ユニットは、起動箇所を起動することなく第１端部が支持表面と接触している状態で支持表面上に配置することができる。
【００２９】
前に考察されたように、図３Ａの実施形態では、第１運転モードにおいて、使用者はボタン１１０を押し下げることによって駆動ユニットを起動する。いくつかの実施形態では、ボタン１１０は駆動ユニット１００の第１端部１２０に窪められる。駆動ユニット及び第１容器の側面図である図９で見られるように、ボタンは第１端部１２０に窪められるので見ることができない。図１０Ａ〜図１０Ｂはさらに、ボタン１１０が駆動ユニットの第１端部１２０に窪められることを示す。結果として、第１端部１２０が支持表面に載るように駆動ユニット１００が図９に示される向きに対して上下反転されているとき、ボタン１１０は依然作動されない。さらに、ボタンは第１端部１２０の内側に窪められているので、及び図３Ｂで見られるように第１端部１２０は直立した姿勢において支持表面に載っているので、使用者はボタンにアクセスできないためボタンを作動することを阻まれる。
【００３０】
別の態様によれば、第１起動箇所と駆動ユニットの間の界面は、流体及びデブリが駆動ユニットに侵入することを防止するために封じられる。図１０Ａに示される実施形態では、液体が第１端部１２０から駆動ユニットへ侵入することを防止するためにガスケットシール１３３が提供される。いくつかの実施形態では、ガスケットシールはボタン１１０及び駆動ユニットの第１端部１２０の両方の上に外側被覆される。ガスケットシールはゴム、エラストマー、ポリマー又は他のいずれかの適切な材料から作製されてもよい。
【００３１】
いくつかの実施形態では、第１起動箇所との干渉が起動装置をトリガし、それが次に駆動ユニットを作動する。本明細書で使用する際、「起動装置」は、トリガされると駆動ユニットを作動する構成要素である。可能な起動装置は、限定しないが、機械式スイッチ、電気機械式スイッチ、圧電型スイッチ、固体状継電器、移動部品のないスイッチ、他のいずれかの種類のスイッチ、バルブ、ボタン、スライダ、ノブ又は他のいずれかの適切な構成を含んでもよく、この態様はそのように限定されない。
【００３２】
図１１は、スイッチ１４３を含む起動装置を含む一実施形態を示す。スイッチ１４３の閉鎖が駆動ユニットを作動する。図１１は、駆動ユニットの第１端部１２０を示し、ここでは外側ボタン表面及びガスケットシールは取り除かれており、その下のスイッチ１４３、起動レバー１４４及びばね１４５を明らかにしている。ばね１４５はボタン１１０を支持し、上昇位置の方へ付勢する。図１１に示される実施形態では、スイッチ１４３及び起動レバー１４４はロッカースイッチを含み、ロッカースイッチは、使用者がスイッチ１４３を作動するために、スイッチ１４３の近くの／スイッチ１４３の局部的領域だけでなく、ボタン１１０のどの部分を押し下げてもよいように構成且つ位置付けられている。いくつかの実施形態では、スイッチ１４３は、ガスケットシール１３３が損傷した場合に高い電圧との接触を防止するためのプレートを含む。
【００３３】
本考案者らは、意図しない、時期尚早の又は不適切な駆動ユニットの作動が、特に駆動ユニットが処理ツールに結合されているとき、食品内容物の予期しない放出につながる恐れがあることを認識した。場合によっては、使用者は、不適切な方法で食品処理器を組み立て、駆動ユニットを作動しようとするかもしれない。例えば、容器蓋が容器に適切に固定されていない場合、又は駆動ユニットが容器及び／又は容器蓋に適切に結合されていない場合、駆動ユニットを作動することは内容物の放出すなわち損害につながる恐れがある。一態様によれば、駆動ユニットの作動構成は１以上の安全特徴部を含み、安全特徴部は１以上の安全条件が満たされない限り駆動ユニットの作動を防止する。
【００３４】
第１運転モードでの駆動ユニットの作動を次に記載する。いくつかの実施形態では、起動装置、スイッチ１４３を単独でトリガすることは、駆動ユニットを作動するのに不十分である。いくつかの実施形態は安全特徴部を含んでもよく、駆動ユニットが作動可能になる前、安全特徴部もトリガされなくてはならない。図１２Ａ〜図１２Ｂに示される実施形態では、駆動ユニット１００のハウジングの一部が取り除かれ、又は透視された状態で示され、その下の構成要素を明らかにしている。図１２Ａ〜図１２Ｂで見られるように、駆動ユニットは、スイッチ１７４、１７６及び１７０を含む複数の安全特徴部を含む。各スイッチはプランジャに関連付けられる。図１３で最もよく見られるように、プランジャ１３４がスイッチ１７４の方に押されると、プランジャ端部１３５がスイッチ１７４に当接し、それを閉じる。各プランジャは、プランジャを関連スイッチから遠方に付勢するばねと干渉する。スイッチ１７４に向かうプランジャ１３４の移動がばね１３７を圧縮する。いくつかの実施形態では、プランジャ１３０及び１３４はそれぞれ安全スイッチ１７０及び１７４と関連付けられる。この実施形態では、プランジャ１３２及び１３６は第１運転モードで使用されない。
【００３５】
図１４Ａ〜図１４Ｂで見られるように、蓋２００は、プランジャ１３０、１３４と干渉する２つの突起２３４を含む。駆動ユニット１００が位置合わせされた向きで蓋２００に結合されるとき、駆動ユニット１００のプランジャ１３０、１３４が蓋２００の突起２３４と当接し、プランジャ１３０、１３４をそれぞれ安全スイッチ１７０、１７４の方へ移動させる。結果として、安全スイッチ１７０、１７４は、駆動ユニット１００が位置合わせされた向きで蓋２００と結合されるとき、閉じられる。いくつかの実施形態では、少なくとも２つの安全スイッチが含まれ、駆動ユニットが作動可能になる前、全ての安全スイッチが閉じられなければならない。安全スイッチは、容器蓋に対する駆動ユニットの適切な位置合わせ及び完全な結合を確認するために、互いに１８０度離して配置可能である。例えば、駆動ユニットの一方側は蓋に当接するが他方側は持ち上げられ、その結果駆動ユニットが蓋に対して傾けられるように駆動ユニットが容器蓋に不適切に結合される場合、安全スイッチの一方は閉じられているが他方は閉じられていない可能性がある。全ての安全スイッチが閉じられない限り駆動ユニットを作動できないように安全スイッチを構成可能である。
【００３６】
図１４Ｃに見られるように、各突起２３４はインターロック２３０の上端部に配置される。インターロック２３０は、ばね２３１によって下方位置の方へ付勢され、下方位置でインターロック２３０の上端部２３４は、下げられた、非突出、又は半突出位置にあり、インターロック２３０の底端部２３５は蓋２００の底表面の下に突出する。蓋２００が容器１０に結合されるとき、インターロック２３０の底端部２３５は容器１０の縁に当接し、インターロック２３０を上方へ押し、それによりインターロック２３０の上端部２３４を突出させる。いくつかの実施形態では、インターロック２３０は追加安全特徴部として機能し得る。すなわち、蓋２００が容器１０に適切に固定されない限り、インターロックは下方位置に残り、下方位置ではインターロックの上端部２３４は駆動ユニットの安全スイッチ１７０、１７４を閉じるようにトリガするのに十分に突出しない。安全スイッチ１７０、１７４が閉じられない場合、この実施形態で駆動ユニットを作動することはできない。図１４Ｃで見られるように、蓋２００は２つのインターロック２３０を有してもよい。他の実施形態では、蓋はインターロックを１つだけ有してもよく、又は３つ以上のインターロックを有してもよい。
【００３７】
当然のことながら、蓋を容器に取り付ける前、駆動ユニットを不能にする他の構成を使用可能であることが認識されよう。例えば、この態様は必ずしもそのように限定されないので、蓋及び容器は、１以上のセンサ、他のインターロック構成、又は他のいずれかの適切な構成を使用してもよい。
【００３８】
図１５Ａは駆動ユニット１００のスイッチ１７０、１７４及び１７６の概略図を示す。図１５Ｂは駆動ユニットの概略回路図を示し、図中１７０及び１７４は安全スイッチである。スイッチ１４３は、駆動ユニットの第１端部１２０に配置されたボタン１１０の押圧によってトリガされる起動装置である（図３Ａ参照）。スイッチ１７６は考察されるような第２運転モードに関連付けられる第２起動装置である。図１５Ｂの回路図は、回路を完全にするために安全スイッチ１７０及び１７４の両方が閉じられなければならないが、回路を完全にして駆動ユニットを作動するためにスイッチ１４３又は１７６の一方だけが閉じられればよいことを示している。駆動ユニットが第１運転モードで運転されるときスイッチ１４３が閉じられ、駆動ユニットが第２運転モードで運転されるときスイッチ１７６が閉じられる。
【００３９】
駆動ユニットの第２運転モードでの作動を次に記載する。上で考察したように、第２運転モードでは、図３Ｂで見られるように第２容器２０が駆動ユニット１００によって支持される。そのように、駆動ユニット１００は図１６Ａ〜図１６Ｂに示されるように第２端部１２１が上方に面し第１端部１２０が下方に面した状態で向けられる。第２容器２０のタブ２２（図８Ａ〜８Ｂ参照）は駆動ユニット１００のプランジャ１３０、１３２、１３４及び１３６と位置合わせされ、その上に載る。容器２０の重さだけではプランジャ１３０、１３２、１３４及び１３６をそれらの関連スイッチの方に移動させるのは不十分であり、従って容器２０のタブ２２がプランジャ１３０、１３２、１３４及び１３６の上に載っているとき、スイッチ１７０、１７４及び１７６はどれも閉じられない。しかしながら、使用者が図３Ｂで見られるように容器２０を押し下げると、タブ２２はプランジャ１３０、１３２、１３４及び１３６と当接し、それらを駆動ユニットの第１端部１２０の方へ移動する。プランジャ１３０、１３４及び１３６の端部はそれぞれスイッチ１７０、１７４及び１７６と当接しそれらを閉じる。
【００４０】
回路図１５Ｂに戻ると、安全スイッチ１７０及び１７４が閉じられ、及びスイッチ１７６が閉じられた状態で、駆動ユニットは作動される。従って、第２運転モードにおいて、容器２０が駆動ユニット１００と適切に位置合わせされるとき、使用者は容器２０を駆動ユニット１００の方へ押し下げ、駆動ユニットは作動される。使用者は容器を押し下げ、解放し、その後再び押し下げることを繰り返し、パルシング作用を生じさせることができる。使用者はまた、連続的な処理作用を生じさせるために容器２０に対して圧力を維持することもできる。いくつかの実施形態では、駆動ユニットは、容器を作動位置に解放可能にロックすることを可能にする特徴部を有してもよい。例えば、使用者は容器２０を押し下げ、下方に圧力を適用しながら、タブ２２を従って容器２０を解放可能なロック位置に保持する駆動ユニット１００のロック表面の下を容器２０のタブ２２が滑るように容器２０を駆動ユニット１００に対して回転させ、それにより駆動ユニットの作動に関連付けられるスイッチが閉じられた状態を維持するようにしてもよい。このように、使用者は圧力を容器に対して維持する必要はない。代わりに、駆動ユニット１００のロック特徴部が容器を作動位置に保持し得る。その後使用者は、容器２０をロック解除される向きまで駆動ユニットに対して戻すように回転することによって、ロックされた作動位置から容器を解放してもよい。
【００４１】
図１２Ｂに示される実施形態などいくつかの実施形態では、プランジャの１つは、どのスイッチとも関連しないプランジャである。図１２Ａ〜図１２Ｂで見られるように、プランジャ１３４、１３６及び１３０はそれぞれスイッチに関連付けられるが、プランジャ１３２はスイッチに関連付けられない。駆動ユニットの第１端部１２０に向かうプランジャ１３２の移動はスイッチを閉じない。このプランジャは対称のためにまたアセンブリに安定性を提供するために含まれてもよい。例えば、第４プランジャを含めることは、容器が駆動ユニットの第１端部に向かって下方に押されるとき容器が片側に傾かないように維持する一助となり得る。他の実施形態では、しかしながら、プランジャ１３２と関連付けられる追加の安全スイッチが駆動ユニットに含まれてもよい。
【００４２】
駆動ユニットは第２運転モードにおいて他の構成で作動することができることを認識すべきである。例えば、使用者に容器を押し下げさせる代わりに、駆動ユニット自体が、使用者が干渉する起動箇所を含んでもよい。例えば、駆動ユニットは、第２運転モードで駆動ユニットを作動するために使用者が干渉する制御パネル、ボタン又は他の適切な起動箇所を含んでもよい。
【００４３】
上の実施形態は、第１運転モードにおいて第１起動装置、スイッチ１４３を、第２運転モードにおいて第２の異なる起動装置、スイッチ１７６を使用するが、他の実施形態では、第１及び第２運転モードが、駆動ユニットを作動するために同じ起動装置を使用してもよいことを認識されたい。例えば、図１７Ａ〜図１７Ｂで見られるように、起動装置、スイッチ１７６’が、駆動ユニットを第１及び第２運転モードの両方で作動するために使用される。図１７Ａで見られるように、駆動ユニットが容器蓋２００に結合され且つ位置合わせされると、蓋２００の突起２３４がプランジャ１３６’と当接し、プランジャ１３６’をスイッチ１７６’の方へ第１の距離だけ持ち上げる。次に、使用者はボタン１１０を押し下げる。図１７Ａで見られるように、ボタン１１０は、ボタン１１０の移動によりスイッチ１７６’自体がボタンと一緒に移動されるようにスイッチ１７６’に結合される。従って、使用者がボタン１１０をプランジャ１３６’の方へ押し下げるとき、スイッチ１７６’もプランジャ１３６’に向かって下方へ移動する。プランジャ１３６’へ向かうスイッチ１７６’の移動によりスイッチ１７６’はプランジャ１３６’と当接され、それによりスイッチ１７６’は閉じられる。スイッチ１７６’の閉鎖が駆動ユニットを作動する。いくつかの実施形態では、前の実施形態で考察したように、駆動ユニットが作動可能になる前、１以上の安全スイッチも閉じられなければならない。
【００４４】
図１８Ａ〜図１８Ｃは、第１運転モードにおける駆動ユニットの作動を概略的に示す。図１８Ａ〜１８Ｂで見られるように、駆動ユニットが容器蓋２００と結合され位置合わせされているとき、蓋２００の突起２３４はプランジャ１３６’と当接し、プランジャ１３６’を起動装置、スイッチ１７６’の方へ第１の距離Ｄ１だけ持ち上げる。次に、図１８Ｂ〜図１８Ｃで見られるように、使用者がボタン１１０を押し下げると、スイッチ１７６’は、スイッチ１７６’がプランジャ１３６’と当接するまで、従ってスイッチ１７６’を閉じるまで、距離Ｄ２だけプランジャ１３６’に向かって下方へ移動される。
【００４５】
図１７Ｂで見られるように、容器２０の下方への移動は、タブ２２がプランジャ１３６’と当接すること、及びプランジャ１３６’をスイッチ１７６’に向かって下方へ移動することを引き起こし、それはプランジャ１３６’がスイッチ１７６’と当接すること、及びスイッチ１７６’を閉じることを引き起こす。
【００４６】
スイッチは水平スイッチとして示されているが、図１９Ａ〜図１９Ｃに示されるスイッチ１７６’’など、垂直スイッチが使用されてもよいことは認識されよう。垂直スイッチを用いると、スイッチ１７６’’は、図１９Ｃで見られるように、スイッチ１７６’’が閉じられた後、プランジャ１３６’を越えて移動し続け得る。
【００４７】
本考案者らは、使用者が容器から内容物を注ぐとき、又は容器を傾けるとき、容器の蓋が容器から分離される恐れがあることを認識した。一態様によれば、蓋及び／又は容器は、蓋と容器の係合を促す一助となる１以上の係合特徴部を含んでもよい。
【００４８】
上で考察したように、第１容器は、容器に取り付け且つそれから取り外すことができる蓋を含む。図２０〜２１に示される一実施形態では、蓋２００は割出特徴部２６２及び窪み２６４を含む。同一又は類似の第２の割出特徴部及び窪みが蓋の反対側に含まれてもよい。割出特徴部２６２は、図２１で見られるような、容器１０の対応する位置合わせ特徴部１２と協働してもよい。使用者が蓋２００を容器１０の開口部の上に置くと、割出特徴部２６２は位置合わせ特徴部１２によって受け入れられる。使用者が蓋２００を容器１０の開口部の中へ押し下げるとき、割出特徴部２６２は容器１０の位置合わせ特徴部の傾斜した縁部１６の上を摺動し得、これが割出特徴部２６２を位置合わせされた向きに案内することを助ける。割出特徴部２６２が位置合わせされた向きを取ると、容器１０の突起１４が蓋２００の窪み２６４に受け入れられ、突起と窪みの係合が、蓋２００を容器１０に係合された状態に維持することを補助し得る。蓋２００はまた、蓋２００が容器１０に係合されているとき容器１０の内側側壁に対するシールを形成するガスケット２５０を含んでもよい。
【００４９】
蓋を容器に係合された状態に維持することを補助するために他の構成を使用できることは認識されよう。蓋及び容器は、物理的インターロック、１以上の移動止め、１以上の磁石、干渉型嵌め込み、１以上のラッチ、ねじ蓋式構成、又は他のいずれかの適切な構成を使用してもよく、この態様はそのように制限されない。
【００５０】
いくつかの実施形態では、図２２Ａで見られるように、蓋２００は、蓋から延びて容器１０のハンドル１９の一部を覆うタブ２６０を含んでもよい。タブ２６０のさらなる姿は、図１、図５、図６、図９及び図１４Ｂで見ることができる。いくつかの実施形態では、使用者が内容物を容器１０の内側から注ぎ口１５を介して注ぐことを望むとき、使用者は親指がタブ２６０をハンドル１９に向かって下に押す状態でハンドル１９を掴んでもよい。このように、使用者はタブ２６０をハンドル１９の上側表面２６１に押し付け（図２２Ｂ参照）、それが、注ぎ口１５を介して内容物を注ぐために容器１０が前方へ傾けられるとき、使用者が容器１０に対する容器蓋２００の係合の維持を補助することを可能にし得る。いくつかの実施形態では、タブはタブをハンドルに押し付けることを容易にするために可撓性であってもよい。
【００５１】
説明に役立つ実施形態において、食品処理装置が提供される。食品処理装置は、開口を有する第１容器と、第１容器内の第１処理ツールを駆動するように構成された駆動ユニットと、を含む。食品処理装置はまた、第１容器に結合するように構成された蓋を含む。蓋は、蓋と第１容器との位置合わせを容易にするために第１容器の位置合わせ特徴部と協働する割出特徴部を含む。いくつかの実施形態では、割出特徴部は突起を含んでもよく、位置合わせ特徴部は、突起を位置合わせされた向きに案内する少なくとも１つの傾斜縁部を含む。いくつかの実施形態では、蓋は、容器の突起を受け入れる窪みを含んでもよく、その結果、窪みと突起の干渉が容器からの蓋の分離に抵抗するようにする。いくつかの実施形態では、食品処理装置は食品処理装置の一部として提供されてもよく、食品処理装置はさらに第２容器を含み、ここでは駆動ユニットが第２容器内の第２処理ツールを駆動するように構成される。
【００５２】
別の説明に役立つ実施形態において、食品処理装置が提供される。食品処理装置は、ハンドルを有する第１容器と、開口と、第１容器内の第１処理ツールを駆動するように構成された駆動ユニットと、を含む。食品処理装置はまた、第１容器に結合するように構成された蓋を含む。蓋は、蓋が第１容器と結合されるとき第１容器のハンドルを覆うタブを含む。タブは容器からの容器蓋の分離に抵抗するために使用者によってハンドルに押し付けられるように構成される。いくつかの実施形態では、タブは使用者の親指によってハンドルに押し付けられてもよい。
【００５３】
容器蓋に関連付けられる態様を次に考察する。一態様によれば、容器蓋はトランスミッションシステムを収容してもよく、トランスミッションシステムは駆動ユニットからの出力と異なる速度及び／又は回転方向で処理ツールを駆動する。
【００５４】
トランスミッションシステムは駆動ユニットの駆動結合部から動力を受け取り、処理ツールに結合する出力部を駆動する。トランスミッションシステムは第１の速度及び方向で駆動ユニットの駆動結合部から動力を受け取り、異なる速度及び／又は方向で出力部を駆動する。いくつかの実施形態では、トランスミッションシステムは減速型トランスミッションであってもよく、ここではトランスミッションシステムは、駆動ユニットの速度より低い速度であるが、駆動ユニットより高いトルクで出力シャフトを駆動する。他の実施形態では、トランスミッションシステムは増速型トランスミッションであってもよく、ここではトランスミッションシステムは、駆動結合部の速度より高い速度であるが駆動結合部より低いトルクで出力シャフトを駆動する。
【００５５】
図２３で見られるように、トランスミッションシステム３０１は、駆動ユニットの駆動結合部１２４によって駆動される被駆動結合部２２０のものと異なる速度及び／又は方向で出力結合部３２０を駆動する。トランスミッションシステム３０１は、減速型トランスミッション又は増速型トランスミッションとして機能してもよい。トランスミッションシステム３０１が減速型トランスミッションである場合、トランスミッションシステム３０１は任意の適切なギヤ減速を有してもよく、この態様はこれ関して制限されず、例えば、トランスミッションシステム３０１は、２：１、３：１、４：１、５：１、６：１、７：１、８：１、９：１又は１０：１のギヤ減速比を有してもよい。トランスミッションシステム３０１が増速型トランスミッションである場合、トランスミッションシステム３０１は任意の適切な増速比を有してもよく、この態様はこれ関して制限されず、例えば、トランスミッションシステム３０１は、１：２、１：３、１：４、１：５、１：６、１：７、１：８、１：９又は１：１０の増速比を有してもよい。トランスミッションシステム３０１は、限定しないがプラネタリギヤシステム、ステップギヤシステム、ウォームギヤ、傘歯車及び／又は平歯車など、任意の適切なトランスミッションシステムであってもよい。
【００５６】
図２３に示される実施形態では、トランスミッションシステム３０１はプラネタリギヤシステムを含み、これは太陽ギヤ３５４と、太陽ギヤ３５４を囲む複数の遊星ギヤ３５０とを有する。プラネタリギヤシステムは、２、３、４、５、６、７、８、９、１０又はそれ以上の遊星ギヤを含む任意の数の遊星ギヤを有してもよく、この態様はこれに関して制限されない。太陽ギヤ３５４がその軸周りで回転することにより、遊星ギヤ３５０はトランスミッションハウジング３０３の内側のリングギヤ内でそれら自体の各遊星軸の周りで回転され、及び太陽ギヤ３５４の周りで公転される。
【００５７】
遊星キャリヤは２つのプレート：上部プレート３６１及び下部プレート３６２を含む。各遊星ギヤは、遊星ギヤの長手軸に沿って遊星ギヤを通過する車軸の周りを回転する。各車軸の上端部は上部プレート３６１に取り付けられ、各車軸の下端部は下部プレート３６２に取り付けられる。遊星ギヤ３５０の太陽ギヤ３５４周りの公転が、上部及び下部プレート３６１、３６２を太陽軸の周りで回転させる。下部プレート３６２は出力結合部３２０の結合プレート３２１に対して回転しないように固定される。従って、太陽軸周りでの下部プレート３６２の回転が出力結合部３２０を太陽軸の周りで同じく回転させる。出力結合部３２０は処理ツールを駆動するために処理ツールの結合部に係合する。ベアリング３３２が、トランスミッションハウジング３０３に対する出力結合部３２０の回転を可能にし得る。
【００５８】
一態様によれば、トランスミッションシステムは、トランスミッションハウジングへの液体及びデブリの侵入を防止するように封じられる。図２３で見られるように、トランスミッションシステム３０１は、トランスミッションシステムの出力結合部３２０に装着されるリップシール３３０を含む。トランスミッションシステム３０１が組み立てられると、リップシール３３０は出力結合部３２０の外側表面とトランスミッションハウジング３０３の内側表面との間で圧縮される。図２３に示される実施形態では、出力結合部３２０は、介在する出力シャフトなしに遊星キャリヤの下部プレート３６２に直接結合される。介在する出力シャフトが無いので、トランスミッションシステム３０１の垂直長さは短縮可能であり、それにより下部プロファイルの蓋ハウジングがトランスミッションシステムを含むことが可能になり得る。場合によっては、蓋ハウジングの垂直高さが最大高さまで制限される場合、下部プロファイルのトランスミッションシステムは、蓋の下側が支持表面に対して平坦に配置されることを可能にし得る。より長い垂直高さを有するトランスミッションシステムは、蓋ハウジングの最も下の表面から外方へ突出し得る。そのような突出は、蓋の下側が支持表面に対して平坦に配置されることを妨げる可能性がある。
【００５９】
当然のことながら、トランスミッションシステムは、図２３に示される実施形態に制限されないことは認識されよう。他の実施形態では、トランスミッションシステムは、プレートキャリヤを出力結合部に接続する出力シャフトを含んでもよい。そのような実施形態では、リップシールは出力結合部よりもむしろ出力シャフトの外側表面に封着し得る。
【００６０】
いくつかの実施形態では、蓋の下側は、トランスミッションシステムを収容する働きをする底側表面を含む。図２４Ａで見られるように、蓋２００は、トランスミッションシステムが蓋２００の内側に収容されるように底側表面２９０を含む。底側表面２９０はトランスミッションを液体及びデブリから保護し、蓋２００の下側をより清掃しやすくする。例えば、底側表面２９０を含むことによって、清掃を困難にし得る割れ目及び縁の数が低減される。図２４Ｂは蓋の底側表面が取り除かれた図２４Ａの容器蓋を示し、液体及び／又はデブリに曝された場合に清掃が困難になり得る多数の割れ目及び縁を明らかにしている。
【００６１】
別の説明に役立つ実施形態において、食品処理装置が提供される。食品処理装置は、開口を有する第１容器と、第１容器内の第１処理ツールを駆動するように構成された駆動ユニットと、を含む。食品処理装置はまた、第１容器と結合するように構成された蓋を含む。蓋は、駆動ユニットの出力部を第１処理ツールの入力部に結合するように構成されたトランスミッションシステムを含む。トランスミッションシステムは出力結合部と、出力結合部に装着されたシールとを含む。いくつかの実施形態では、トランスミッションシステムは、プレートキャリヤを有するプラネタリギヤシステムを含んでもよく、ここで出力結合部はプレートキャリヤに直接結合される。
【００６２】
別の説明に役立つ実施形態において、食品処理装置が提供される。食品処理装置は、開口を有する第１容器と、第１容器内の第１処理ツールを駆動するように構成された駆動ユニットと、を含む。食品処理装置はまた、第１容器と結合するように構成された蓋を含む。蓋は、駆動ユニットの出力部を第１処理ツールの入力部に結合するように構成されたトランスミッションシステムを含む。蓋の下側は、トランスミッションシステムのデブリ及び液体への露出を低減する底側表面を含む。
【００６３】
駆動ユニットの通気及び排液に関連する態様を次に考察する。本考案者らは、駆動ユニットが第２運転モードにおいて処理容器を支持するために使用されるとき、容器からの液体が駆動ユニットに漏出し得ることを認識した。そのような液体が駆動ユニットから排出することを可能にするために、駆動ユニットを通る排液システムが提供される。
【００６４】
いくつかの実施形態では、図２５で見られるように、駆動ユニットは第２運転モードで使用するために方向付けられる。駆動ユニットの第１端部１２０は支持表面５の上に設置され、第２端部１２１は、容器を受け止めるために上方を向いている。第２端部１２１は、第２端部１２１に滴下した液体が駆動ユニットから逸出することを可能にする排液孔１８２を含む。排液孔１８２は駆動ユニットのセグメント１２３を通して形成される。図２６Ａ〜図２６Ｂはセグメント１２３の下側を示す。排液孔１８２の下側は図２６Ａで見られ、図は排液孔１８２により液体が駆動ユニットのセグメント１２３を通過することが可能になることを示している。図２６Ｂはリング１９０に結合された駆動ユニットのセグメント１２３を示す。リング１９０は、排液孔１８２の下側にぴったり適合し、液体がさらに駆動ユニットに流れ込むことを防止する排液収集器１９２を含む。図２７Ａ〜図２７Ｃはリング１９０を単独で示している。図２７Ａはリング１９０を図２６Ｂで見られる向きで示している。図２７Ｂはリング１９０の他方側を示し、排液収集器１９２が排液出口１９４を含むことを示している。図２７Ｃは排液収集器１９２及び排液出口１９４の拡大である。
【００６５】
駆動ユニット１００の残りの部分と一体化されたリング１９０を示す図２８Ａ〜図２８Ｂで見られるように、排液出口１９４は駆動ユニットの外側と連通する。排液出口１９４を出る液体は、駆動ユニットの側面の下へと漏出する。場合によっては、排液出口１９４は、排液出口１９４を出る液体が排気口１９７を通って駆動ユニットに進入しないように、排気口１９７から離れて配置される。場合によっては、駆動ユニットの中心を通るのでなく駆動ユニットの側面から液体が排出することを可能にすることは、駆動ユニットがより小さいサイズを保持することを可能にし得る。場合によっては、駆動ユニットの中心を通して排液路を配置することは、排液路を収容するために駆動ユニットの直径を増大することを必要とし得る。しかしながら、排液路は駆動ユニットの他の場所に配置可能であることを認識すべきである。排液路は駆動ユニットの中心を通して、駆動ユニットの２以上の側面を通して、又は他のいずれかの適切な場所を通して配置可能であり、この態様はそのように制限されない。２以上の排液孔及び／又は排液出口を使用してもよいことを認識すべきであり、この態様はそのように制限されない。
【００６６】
他の実施形態では、排液出口から出る液体は、別の経路に切り替えて流すことができる、すなわち、使用者が排出された液体と接触することなく駆動ユニットの側面を掴み得るように、流路が、排出された液体を排液出口から駆動ユニットの第１端部１２０へ導いてもよい。
【００６７】
一態様によれば、排気口に加えて、いくつかの実施形態では、駆動ユニットは、駆動ユニットに収容されたモータの冷却を促すために排気孔を含んでもよい。図２６Ｂ、図２７Ａ〜図２７Ｃ及び図２８Ａで見られるように、リング１９０は、リングの境界周りに配置された一連の孔１９６を含む。孔１９６は駆動ユニットの内側と連通し、その結果、いくつかの実施形態では、孔１９６から入る空気が駆動ユニットの内側を通って流れ排気口１９７から出て、駆動ユニットモータ及び駆動ユニットの内側を冷却するようにする。そのように、リングは、液体を駆動ユニットから排出するための１以上の孔ばかりでなく、空気取り込み用の１以上の孔を有してもよい。いくつかの実施形態では、孔１９６は、排液出口１９４から排出される液体が孔１９６に引き込まれないように配置される。図２８Ｂで最もよく見られるように、孔１９６はリングの上側表面１９９に配置されてもよい。理論に縛られたくないが、場合によっては、孔をリングの上側表面に配置することは、排液出口から下方へ排出される液体が孔に引き込まれる可能性を低減し得る。代わりに又はそれに加えて、リング１９０は、排液出口１９４から排出される液体が孔１９６に引き込まれることを防止する一助となり得るバリヤ１９５を排液出口１９４の両側に含んでもよい。
【００６８】
説明に役立つ実施形態において、駆動ユニットが提供される。駆動ユニットは、液体を駆動ユニットの側壁の外へ案内するために、排液出口と連通する排液孔を駆動ユニットの第１端部に含む。いくつかの実施形態では、排液出口は駆動ユニットの底側表面の上に配置可能である。いくつかの実施形態では、駆動ユニットはさらに、複数の空気取込孔を含むリングを含んでもよい。場合によっては、排液出口はリングに配置可能である。
【００６９】
本明細書に含まれる実施形態の多くは、２つの異なる運転モード間で上下反転される駆動ユニットを開示するが他の構成が可能であり、この態様はそのように制限されないことは認識されよう。例えば、いくつかの実施形態では、駆動ユニットは、駆動ユニットの第１端部が第１運転モードにおいて第１処理ツールを駆動し、一方で駆動ユニットの第２端部が第２運転モードにおいて第２処理ツールを駆動するように構成可能である。従って、駆動ユニットの同じ端部を容器及びその中の処理ツールと干渉させる代わりに、駆動ユニットは、第１容器と干渉する第１端部、及び第２容器と干渉する第２端部を有してもよい。いくつかの実施形態では、駆動ユニットの各端部は駆動結合部を含む。
【００７０】
例えば、一実施形態が図２９Ａ及び図２９Ｂに示されており、これらはそれぞれ駆動ユニット１００’の第１運転モード及び第２運転モードを示している。駆動ユニット１００’は、駆動ユニットの第１端部１２０’に第１駆動結合部１２７を、及び駆動ユニットの第２端部１２１’に第２駆動結合部１２９を含む。両駆動結合部１２７、１２９はモータ１２６に結合され且つそれによって駆動される。いくつかの実施形態では、第１駆動結合部１２７はトランスミッション３０１を介してモータ１２６に結合され、トランスミッション３０１はモータ１２６の出力と異なる速度及び／又は方向で結合部１２７を駆動する。第１運転モードを示す図２９Ａで見られるように、第１駆動結合部１２７は容器１０の蓋２００に結合する。いくつかの実施形態では、駆動結合部１２７は容器１０内に配置された処理ツールに直接結合してもよい。第２運転モードを示す図２９Ｂで見られるように、第２駆動結合部１２９は第２容器２０内に配置された処理ツールに結合する。この実施形態では、駆動ユニット１００’は、第１運転モードと第２運転モードの間で切り替えられるとき、上下反転されるというよりもむしろ支持表面５に対して同じ向きのままである。いくつかの実施形態では、駆動ユニット１００’は第１駆動結合部１２７が使用されないとき第１端部１２０’を覆う第１の蓋１０１を含んでもよい。駆動ユニット１００’はまた、第２駆動結合部１２９が使用されないとき第２端部１２１’を覆う第２の蓋１０５を含んでもよい。
【００７１】
いくつかの実施形態では、図３０に示されるように、食品処理装置は、容器１０（例えば第１容器１０）の中に入れ子状にすることができるボウル５００を含んでもよい。そのような実施形態では、ボウルは、容器を清潔に保つため及び／又は食品処理装置によって調製された食品を保管又は給仕するために使用者によって使用されてもよい。ボウル及び容器が一緒に入れ子にされているとき、ボウルのサイズ及びボウルの容器内の位置のためにボウルを容器から取り出すことが難しい場合がある。この問題に対処するために、ボウルは、容器からのボウルの取出しを容易にするためにタブ５０８を含んでもよい。いくつかの実施形態では、タブ５０８は、タブを掴むのを容易にするために、表面特徴部、例えば摩擦タブを含む。
【００７２】
ボウル５００は係合部５０２（図３１参照）を介して容器１０内に取外し可能に係合することができる。ボウル５００は容積Ｖを有し、いくつかの実施形態では、ボウル５００の容積Ｖは容器１０の容積と異なる。いくつかの実施形態では、使用者は使用者が調製する食品を収容するようにサイズ決めされた容積を有するボウル（例えば容器より小さいボウル５００）を使用することを選択してもよい。別の実施形態では、ボウル５００の容積は容器１０の容積と実質的に同じであってもよく、また、容器を清潔に保つために使用されてもよい。ボウル５００はまた、食品処理装置によって調製された食品を給仕又は保管するためにボウル５００を使用できるように構成されてもよい。
【００７３】
図３１に示されるように、ボウル５００は、ボウル５００の外側表面５０６から外方へ延在する棚５０４を含む。示されるように、棚５０４はボウル５００の外側表面５０６から水平に延在してもよいが、棚５０４は他の方向に延在してもよい。いくつかの実施形態では、ボウル５００の棚５０４は、ボウル５００を容器１０内に入れ子にすることを可能にするべく容器１０の対応する棚（不図示）に載るように構成可能である。容器１０の対応する棚は容器１０の内側表面１７から内向きに延在してもよい。他の実施形態では、ボウルの棚５０４は、ボウル５００が容器内に入れ子にされるとき、ボウル５００を容器の内側に（例えば容器の内側表面に対して）位置付けるように構成される。
【００７４】
いくつかの実施形態では、ボウル５００はボウル５００の挿入及び／又は容器１０からの取出しを容易にするためにタブ５０８を含む。いくつかの実施形態では、タブ５０８はボウル５００の縁５１０から垂直に延在する。図３１に示されるように、ボウル５００の縁５１０は棚５０４の上に配置可能である。
【００７５】
タブ５０８はボウル５００の挿入及び／又は容器１０からの取出しに適切な任意の形状及びサイズを有してもよい。示されるように、一実施形態では、タブ５０８は実質的に矩形の形状を有する。タブ５０８は代わりに円形、半円形、楕円形、三角形、正方形、他の多角形状、又は他の適切な形状を有してもよい。タブ５０８はボウル５００の外側表面５０６の外形に一致するために湾曲していてもよい。いくつかの実施形態では（例えば図３２Ａ参照）、タブ５０８は約０．５インチ〜３インチの間の長さＬＴを有するが、他の適切な長さを使用してもよい。いくつかの実施形態では、タブ５０８は約０．１インチ〜２インチの間の高さＨＴを有する。
【００７６】
いくつかの実施形態では、タブ５０８はタブ５０８を掴むのを容易にする表面特徴部５１３を含む。図３２Ａ及び図３２Ｂに示されるように、一実施形態において、表面特徴部５１３は隆起した畝５１３であるが、他の適切な表面特徴部５１３を使用してもよい。例えば、いくつかの実施形態では、表面特徴部５１３は、摩擦タブ表面を形成することによってタブ５０８を掴むのを容易にする表面粗さ又は表面構造を含んでもよい。表面特徴部５１３はこれらの実施形態ではタブ５０８の片側だけに含まれるが、他の実施形態では、表面特徴部５１３はタブ５０８の片側又は両側に含まれてもよい。
【００７７】
図３０に示されるように、いくつかの実施形態では、タブ５０８は容器１０の上面より上に延在するように構成され、その結果、ボウル５００及び容器１０が入れ子にされているとき、タブに簡単にアクセスできるようにする。そのような実施形態では、認識されるように、容器の蓋２００もまた、容器１０の上面より上に延在するように構成され、従って、食品処理装置を使用する間、タブ５０８を覆うことが可能になる。他の実施形態では、タブ５０８は、タブ５０８の上面５１６が容器１０の上面と整列するように構成される。そのような実施形態では、タブ５０８は、いったんボウル５００及び容器１０が入れ子にされると使用者がタブ５０８にアクセスできるように容器１０の内側表面から内向きに配置される。
【００７８】
使用者は自分の指でタブ５０８を掴み、ボウル５００及び容器１０が入れ子にされるまで、例えばボウル５００の棚５０４が容器１０の棚（不図示）に載るまで、ボウル５００を容器１０に挿入してもよい。別の例では、使用者は自分の指でタブ５０８を掴み、ボウルの底が容器の底と接触するまで、及び棚が容器１０の内側表面１７と接触するまで、ボウル５００を容器に挿入してもよい。いったんボウル５００及び容器１０が入れ子にされると、使用者は蓋２００及び駆動ユニット１００を容器の上に置き、所望の食品を調製するために食品処理装置を使用してもよい。いったん終了すると、使用者は蓋（及び駆動ユニット１００）を取り除き、入れ子にされたボウル５００及び容器１０を曝すことができる。ボウル５００を取り出すために、使用者は自分の指でタブ５０８を掴み、タブ５０８を上に引き、容器１０からボウル５００を取り出す。
【００７９】
一実施形態によれば、混合器などの食品処理器は、第１容器及び第２容器を含む。第２容器は第１容器内に挿入可能である。容器は、上部リムを有する側壁、及び上部第２リムから上方へ延在する突起を有する。突起は２本の大人の指の間に挟まれるのに十分大きい。いくつかの実施形態では、突起は片側又は両側に掴み特徴部を含む。
【００８０】
いくつかの実施形態では、食品処理装置は処理ツールも含む。一実施形態では、図３３に示されるように、処理ツールは、装置の容器に取外し可能に結合できるドウフック６００である。いくつかの実施形態では、容器内にドウによって真空吸引が形成されているので、容器１０（例えば第１容器１０）からドウフック６００を取り出すことは難しい場合がある。すなわち、状況によっては、ドウフックはドウに埋め込まれ、ドウは容器の内壁に封着するので、容器１０からドウフック６００を引くことは困難である。この問題に対処するために、容器１０からドウフック６００を取り出すことを容易にするために、ドウフック６００に把持ディスク６０８などの把持部分が設けられる。
【００８１】
示されるように、ドウフックは、羽根アセンブリ６０２、結合部分６０４、６０６及び把持ディスク６０８を含む。第１結合部分６０４（図３４参照）は、ドウフック６００の底部６１０に配置され、ドウフック６００を容器１０の底部に結合することを可能にする。いくつかの実施形態では、示されるように、ドウフック６００はまた、ドウフック６００を装置の蓋２００に、又はいくつかの実施形態では、蓋２００の出力結合部３２０に、又は駆動ユニット１００の駆動結合部１２４に結合するための第２結合部分６０６を有する。前の実施形態のように、蓋２００は駆動ユニット１００に結合されてもよい。
【００８２】
図３３及び３４に示されるように、羽根アセンブリ６０２はシャフト６１２を含み、少なくとも１つの羽根６１４がシャフト６１２から外方へ延びる。一実施形態では、示されるように、羽根アセンブリ６０２は４つの羽根６１４を含むが、羽根アセンブリ６０２はまた、より多い又は少ない羽根を含んでもよい。いくつかの実施形態では、第１結合部分６０４は、羽根アセンブリ６０２のシャフト６１２に（例えばシャフト６１２の底部に）結合される。第１結合部分６０４はいくつかの実施形態ではシャフト６１２と一体であってもよいが、第１結合部分６０４はシャフト６１２に接続される別個の部品であってもよい。同様に、第２結合部分６０６を有する実施形態では、第２結合部分６０６は、羽根アセンブリ６０２のシャフト６１２に結合されてもよく、又はシャフト６１２と一体であってもよい。
【００８３】
図３３及び図３４に示されるように、把持ディスク６０８が羽根アセンブリ６０２に接続されてもよく、及びいくつかの実施形態では、把持ディスク６０８は羽根アセンブリ６０２のシャフト６１２に結合されてもよい。把持ディスク６０８及び羽根アセンブリ６０２は、互いに一体に形成されてもよいが、把持ディスク６０８はまた羽根アセンブリ６０２に取り付けられる別個の部品であってもよい。示されるように、第２結合部分６０６を有する実施形態では、把持ディスク６０８は、羽根アセンブリ６０２と第２結合部分６０６の間に配置されてもよい。いくつかの実施形態では、把持ディスク６０８は、羽根アセンブリ６０２の羽根６１４から距離をとって、及びいくつかの実施形態ではかなりの距離をとって配置される。そのような実施形態では、把持ディスク６０８は、容器１０からドウフック６００を取り出すために把持ディスク６０８を使用するとき、使用者が自分の指を羽根６１４の近くに置かないように配置される。
【００８４】
いくつかの実施形態では、例として図３５Ａに示されるように、把持ディスク６０８は実質的に楕円形形状を有するが、把持ディスク６０８は他の適切な形状を有することができる。例えば、いくつかの実施形態では、把持ディスク６０８は正方形、矩形、円形、三角形、他の多角形状、又は他の適切な形状を有してもよい。
【００８５】
図３５Ａ〜図３５Ｃに示されるように、把持ディスク６０８は長さＬ、幅Ｗ及び高さＨを有する。図３５Ａ及び図３５Ｂに示されるように、把持ディスク６０８は任意の適切な長さＬを有してもよい。例えば、いくつかの実施形態では、把持ディスク６０８の長さＬは、約０．７５インチ〜３インチの間であってもよい。いくつかの実施形態では、把持ディスク６０８は、把持ディスク６０８の長さＬがシャフト６１２を横切って等しく分散されるように、羽根アセンブリ６０２のシャフト６１２上で中心に置かれる。換言すると、示されるように、把持ディスク６０８は、シャフト６１２の一方の側を越えて延びる把持ディスク６０８の第１長さＬ１がシャフト６１２の他方側を越えて延びる把持ディスク６０８の第２長さＬ２と実質的に同じであるように、シャフト６１２に結合されてもよい。他の実施形態では、第１長さＬ１及び第２長さＬ２は異なってもよい。
【００８６】
把持ディスク６０８はまた、任意の適切な幅Ｗを有してもよく、例えばいくつかの実施形態では、把持ディスク６０８の幅Ｗは約０．２５インチ〜２インチの間であってもよい。いくつかの実施形態では、図３５Ｃに示されるように、把持ディスク６０８の幅Ｗはシャフト６１２の幅と同じであってもよいが、その一方、他の実施形態では、把持ディスク６０８はまたシャフト６１２の幅と異なってもよい。
【００８７】
図３５Ｂに示されるように、把持ディスク６０８は任意の適切な高さＨを有してもよく、例えばいくつかの実施形態では、把持ディスク６０８の高さＨは、約０．０５インチ〜約１インチの間である。把持ディスク６０８の高さＨは把持ディスク６０８の長さＬにわたって一定であってもよく（例えば把持ディスク６０８は実質的に矩形の断面を有してもよい）、他の実施形態では、把持ディスク６０８の高さＨはまた、把持ディスク６０８の長さＬにわたって変化してもよい。例えば、図３５Ｂに示されるように、いくつかの実施形態では、把持ディスク６０８の高さＨは、把持ディスク６０８の中間で最大であり、把持ディスク６０８の端部で最小である。すなわち、把持ディスク６０８の高さＨは、把持ディスク６０８の中間から把持ディスク６０８の端部までテーパしてもよい。
【００８８】
容器からドウフック６００を取り出すべく把持ディスク６０８を使用するために、使用者は自分の指を把持ディスク６０８の下に置いてもよい。一実施形態では、使用者は少なくとも１本の指を把持ディスク６０８の第１長さＬ１の下に置き、少なくとも１本の指を把持ディスク６０８の第２長さＬ２の下に置く。次に使用者は容器１０からドウフック６００を取り出すために自分の手を持ち上げる。別の実施形態では、使用者は把持ディスク６０８を上から握り、容器からドウフック６００を引くために把持ディスク６０８を引く。
【００８９】
ドウフック６００上の把持ディスク６０８を示し記載してきたが、把持ディスク６０８はまた、容器１０からの処理ツールの取出しを容易にするために他の処理ツールとともに使用可能である。例えば別の実施形態では、把持ディスクはダイシングアセンブリとともに使用可能である。
【００９０】
一実施形態によれば、混合器など、食品処理器の処理ツールアセンブリは、シャフトと、シャフトに装着された処理ツールと、を含む。処理ツールアセンブリは、アセンブリが食品処理器内で使用位置にあるとき、シャフト上で処理ツールより高く配置された把持部分を含む。把持部分はシャフトから外方へ突出する。外方への突出は実質的に垂直であってもよい、又はシャフトの長さ方向に対して垂直であってもよい。いくつかの実施形態では、把持部分はシャフトの長さ方向に対して９０度以外の角度で外方へ突出してもよい。把持部分はシャフトの第１の側に第１表面領域を、及びシャフトの第２の側に第２表面領域を提供してもよく、第１及び第２表面領域のそれぞれは、大人の指を受け入れるようにサイズ決めされ、少なくとも部分的に下方に面する。第１及び第２表面領域は湾曲状又は平坦状であってもよい。
【００９１】
上に記載した構成要素は様々な材料で作製可能であり、本考案は必ずしもそのように制限されない。
【００９２】
上の態様は任意の適切な組合せで利用可能であり、本考案はこれに関して制限されない。さらに、上の態様のいずれか又は全ては食品処理装置で利用可能であるが、本考案はこれに関して制限されず、上の態様は食品以外の材料を処理するために利用可能である。
【００９３】
本考案の少なくとも１つの実施形態のいくつかの態様を記載してきたが、様々な変更、修正及び改良が当業者に簡単に思い付くことは認識されよう。そのような変更、修正及び改良は本開示の一部であることが意図され、また、本考案の趣旨及び範囲内にあることが意図される。従って、前述の記載及び図は例であるに過ぎない。
【符号の説明】
【００９４】
１  駆動ユニット
５  支持表面
１０  第１容器
１２  位置合わせ特徴部
１４  突起
１５  注ぎ口
１６  縁部
１７  内側表面
１９  ハンドル
２０  第２容器
２２  タブ
２５  処理ツール
１００  駆動ユニット
１００’  駆動ユニット
１０１  第１の蓋
１０５  第２の蓋
１１０  第１起動箇所
１１２  湾曲した傾斜表面
１１６  突起
１２０  第１端部
１２０’  第１端部
１２１  第２端部
１２１’  第２端部
１２３  セグメント
１２４  駆動結合部
１２５  駆動シャフト
１２６  モータ
１２７  第１駆動結合部
１２９  第２駆動結合部
１３０  プランジャ
１３２  プランジャ
１３３  ガスケットシール
１３４  プランジャ
１３５  プランジャ端部
１３６  プランジャ
１３６’  プランジャ
１３７  ばね
１４０  第２起動箇所
１４３  スイッチ
１４４  起動レバー
１４５  ばね
１７０  スイッチ
１７４  スイッチ
１７６  スイッチ
１７６’  スイッチ
１７６’’  スイッチ
１８２  排液孔
１９０  リング
１９２  排液収集器
１９４  排液出口
１９５  バリヤ
１９６  孔
１９７  排気口
１９９  上側表面
２００  蓋
２１０  結合領域
２１２  湾曲した傾斜表面
２１６  凹部
２２０  被駆動結合部
２３０  インターロック
２３１  ばね
２３４  上端部
２３５  底端部
２５０  ガスケット
２６０  タブ
２６１  上側表面
２６２  割出特徴部
２６４  窪み
２９０  底側表面
３０１  トランスミッションシステム
３０３  トランスミッションハウジング
３２０  出力結合部
３２１  結合プレート
３３０  リップシール
３３２  ベアリング
３５０  遊星ギヤ
３５４  太陽ギヤ
３６１  上部プレート
３６２  下部プレート
５００  ボウル
５０２  係合部
５０４  棚
５０６  外側表面
５０８  タブ
５１０  縁
５１３  表面特徴部
５１６  上面
６００  ドウフック
６０２  羽根アセンブリ
６０４  結合部分
６０６  結合部分
６０８  把持ディスク
６１０  底部
６１２  シャフト
６１４  羽根
Ｄ１  第１の距離
Ｄ２  第２の距離
Ｖ  容積
ＬＴ  長さ
ＨＴ  高さ
Ｌ  長さ
Ｈ  高さ
Ｌ１  第１長さ
Ｌ２  第２長さ
Ｗ  幅
【図１】
0003200028.tif 000003
【図２】
0003200028.tif 000004
【図３Ａ】
0003200028.tif 000005
【図３Ｂ】
0003200028.tif 000006
【図４Ａ】
0003200028.tif 000007
【図４Ｂ】
0003200028.tif 000008
【図５】
0003200028.tif 000009
【図６】
0003200028.tif 000010
【図７】
0003200028.tif 000011
【図８Ａ】
0003200028.tif 000012
【図８Ｂ】
0003200028.tif 000013
【図９】
0003200028.tif 000014
【図１０Ａ】
0003200028.tif 000015
【図１０Ｂ】
0003200028.tif 000016
【図１１】
0003200028.tif 000017
【図１２Ａ】
0003200028.tif 000018
【図１２Ｂ】
0003200028.tif 000019
【図１３】
0003200028.tif 000020
【図１４Ａ】
0003200028.tif 000021
【図１４Ｂ】
0003200028.tif 000022
【図１４Ｃ】
0003200028.tif 000023
【図１５Ａ】
0003200028.tif 000024
【図１５Ｂ】
0003200028.tif 000025
【図１６Ａ】
0003200028.tif 000026
【図１６Ｂ】
0003200028.tif 000027
【図１７Ａ】
0003200028.tif 000028
【図１７Ｂ】
0003200028.tif 000029
【図１８】
0003200028.tif 000030
【図１９】
0003200028.tif 000031
【図２０】
0003200028.tif 000032
【図２１】
0003200028.tif 000033
【図２２Ａ】
0003200028.tif 000034
【図２２Ｂ】
0003200028.tif 000035
【図２３】
0003200028.tif 000036
【図２４Ａ】
0003200028.tif 000037
【図２４Ｂ】
0003200028.tif 000038
【図２５】
0003200028.tif 000039
【図２６Ａ】
0003200028.tif 000040
【図２６Ｂ】
0003200028.tif 000041
【図２７Ａ】
0003200028.tif 000042
【図２７Ｂ】
0003200028.tif 000043
【図２７Ｃ】
0003200028.tif 000044
【図２８Ａ】
0003200028.tif 000045
【図２８Ｂ】
0003200028.tif 000046
【図２９Ａ】
0003200028.tif 000047
【図２９Ｂ】
0003200028.tif 000048
【図３０】
0003200028.tif 000049
【図３１】
0003200028.tif 000050
【図３２Ａ】
0003200028.tif 000051
【図３２Ｂ】
0003200028.tif 000052
【図３３】
0003200028.tif 000053
【図３４】
0003200028.tif 000054
【図３５Ａ】
0003200028.tif 000055
【図３５Ｂ】
0003200028.tif 000056
【図３５Ｃ】
0003200028.tif 000057
【手続補正書】
【提出日】平成27年7月13日(2015.7.13)
【手続補正２】
【補正対象書類名】実用新案登録請求の範囲
【補正対象項目名】全文
【補正方法】変更
【補正の内容】
【実用新案登録請求の範囲】
【請求項１】
食品処理装置であって、
処理ツールを駆動するように構成された駆動ユニットと、
第１容器と、
第２容器と、
前記駆動ユニットの作動を可能にする第１起動箇所と、
前記駆動ユニットの作動を可能にする第２起動箇所であって、前記第１起動箇所が前記第２起動箇所と異なる場所に配置される第２起動箇所と、を備え、
前記駆動ユニットが、第１運転モードにおいて前記第１容器と一緒に使用可能であり、第２運転モードにおいて前記第２容器と一緒に使用可能であり、
前記第１運転モードにおいて、第前記１容器が前記駆動ユニットを支持し、使用者の前記第１起動箇所との干渉が前記駆動ユニットを作動し、
前記第２運転モードにおいて、前記駆動ユニットが前記第２容器を支持し、使用者の前記第２起動箇所との干渉が前記駆動ユニットを作動する、食品処理装置。
【請求項２】
前記第１起動箇所が前記駆動ユニット上のボタンを備える、請求項１に記載の食品処理装置。
【請求項３】
前記ボタンが前記駆動ユニットに対してガスケット封着される、請求項２に記載の食品処理装置。
【請求項４】
前記ボタンが前記駆動ユニットの端部に対して窪められる、請求項２に記載の食品処理装置。
【請求項５】
前記第２起動箇所が前記第２容器上の表面を備える、請求項１に記載の食品処理装置。
【請求項６】
前記駆動ユニットを作動するように構成された第１起動装置をさらに備え、前記第１起動装置は、使用者の前記第１起動箇所との干渉によってトリガされる、請求項１に記載の食品処理装置。
【請求項７】
前記第１起動装置が、使用者の前記第２起動箇所との干渉によってトリガされる、請求項６に記載の食品処理装置。
【請求項８】
前記第１起動装置がスイッチを備える、請求項６に記載の食品処理装置。
【請求項９】
前記第１起動装置がロッカースイッチを含む、請求項８に記載の食品処理装置。
【請求項１０】
前記駆動ユニットを作動するように構成された第２起動装置をさらに備え、前記第２起動装置は、使用者の前記第２起動箇所との干渉によってトリガされる、請求項１に記載の食品処理装置。
【請求項１１】
前記第２起動装置がスイッチを備える、請求項１０に記載の食品処理装置。
【請求項１２】
前記第２起動装置が、前記第２容器によって押し下げ可能な押し下げ可能プランジャとの接触によってトリガされる、請求項１０に記載の食品処理装置。
【請求項１３】
前記第１容器が蓋、底側表面及び側壁を含み、
食品を含有する容積が、前記蓋、前記底側表面及び前記側壁の間で規定され、
前記蓋が前記第１運転モードにおいて前記駆動ユニットと相互作用する、請求項１に記載の食品処理装置。
【請求項１４】
前記蓋が、トランスミッションシステムと、前記トランスミッションシステムに接続されて前記駆動ユニットによって駆動されるように構成された入力シャフトと、前記トランスミッションシステムに接続されて前記処理ツールを駆動するように構成された出力シャフトと、を備え、
前記入力シャフトの第１速度での回転が、前記出力シャフトを第２の異なる速度で回転させる、請求項１３に記載の食品処理装置。
【請求項１５】
前記駆動ユニットが、前記第１運転モードで使用されるとき、支持表面に対する第１の向きを有し、前記駆動ユニットが、前記第２運転モードで使用されるとき、支持表面に対する第２の向きを有し、前記駆動ユニットの前記第１の向きは、前記駆動ユニットの前記第２の向きと比較して垂直に上下反転される、請求項１に記載の食品処理装置。
【請求項１６】
前記駆動ユニットが第１端部及び第２端部を含み、
前記第１運転モードにおいて前記駆動ユニットの前記第１端部が前記第１容器と相互作用し、
前記第２運転モードにおいて前記駆動ユニットの前記第１端部が前記第２容器と相互作用する、請求項１に記載の食品処理装置。
【請求項１７】
前記駆動ユニットが第１端部及び第２端部を含み、前記第１運転モードにおいて前記駆動ユニットの前記第１端部が前記第１容器と相互作用し、前記第２運転モードにおいて前記駆動ユニットの前記第２端部が前記第２容器と相互作用する、請求項１に記載の食品処理装置。
【請求項１８】
前記第１運転モードにおいて、前記第１起動箇所が使用者によってアクセス可能であり、
前記第２運転モードにおいて、前記駆動ユニットが平坦な支持表面上に直立姿勢で置かれるとき、使用者は前記第１起動箇所を起動することを妨げられる、請求項１に記載の食品処理装置。
【請求項１９】
前記第２運転モードにおいて、前記パワーヘッドが前記平坦な支持表面上に直立姿勢で置かれるとき、前記第１起動箇所は使用者によってアクセス不能である、請求項１８に記載の食品処理装置。
【請求項２０】
食品処理装置であって、
処理ツールを駆動するように構成された駆動ユニットと、
前記駆動ユニットの作動を可能にする第１起動箇所と、
第１容器と、
第２容器と、を備え、
前記駆動ユニットが、第１運転モードにおいて前記第１容器と一緒に使用可能であり、第２運転モードにおいて前記第２容器と一緒に使用可能であり、
前記第１運転モードにおいて、前記第１起動箇所が使用者によってアクセス可能であり、
前記第２運転モードにおいて、前記駆動ユニットが平らな支持表面上に直立姿勢で置かれているとき、使用者は前記第１起動箇所と干渉することを妨げられる、食品処理装置。
【請求項２１】
前記第２運転モードにおいて、前記パワーヘッドが前記平坦な支持表面上に直立姿勢で置かれるとき、前記第１起動箇所は前記使用者によってアクセス不能である、請求項２０に記載の食品処理装置。
【請求項２２】
前記第１起動箇所が前記駆動ユニットの端部に対して窪められる、請求項２０に記載の食品処理装置。
【請求項２３】
前記駆動ユニットは、前記第１運転モードで使用されるとき、支持表面に対する第１の向きを有し、
前記駆動ユニットは、前記第２運転モードで使用されるとき、前記支持表面に対する第２の向きを有し、
前記駆動ユニットの前記第１の向きは、前記駆動ユニットの前記第２の向きと比較して垂直に上下反転される、請求項２０に記載の食品処理装置。
【請求項２４】
前記第１運転モードにおいて、前記第１容器が前記駆動ユニットを支持し、
前記第２運転モードにおいて、前記駆動ユニットが前記第２容器を支持する、請求項２０に記載の食品処理装置。
【請求項２５】
前記第２運転モードにおいて、前記駆動ユニットが、前記第１起動箇所と異なる第２起動箇所で作動される、請求項２０に記載の食品処理装置。
【請求項２６】
前記第２起動箇所が前記第２容器の表面を備える、請求項２５に記載の食品処理装置。
【請求項２７】
前記第１起動箇所が使用者作動ボタンを備える、請求項２０に記載の食品処理装置。
【請求項２８】
前記使用者作動ボタンがロッカースイッチを備える、請求項２７に記載の食品処理装置。
【請求項２９】
前記使用者作動ボタンが前記駆動ユニットに対してガスケット封着される、請求項２７に記載の食品処理装置。
【請求項３０】
食品処理装置であって、
処理ツールを駆動するように構成された駆動ユニットと、
蓋、底側表面及び側壁を含む第１容器であって、食品を含有する容積が前記蓋、前記底側表面及び前記側壁の間で規定され、前記蓋が前記駆動ユニットと相互作用する、第１容器と、を備え、
前記駆動ユニットが第１の位置合わせ特徴部を含み、前記蓋が前記第１の位置合わせ特徴部と協働する第２の位置合わせ特徴部を含み、その結果、前記駆動ユニットを前記蓋の上に置くと、前記第１及び第２の位置合わせ特徴部間の接触及び前記駆動ユニットの重さにより、前記駆動ユニットが、前記蓋に対して位置合わせされた向きに移動される、食品処理装置。
【請求項３１】
前記第１及び第２の位置合わせ特徴部間の接触により、前記駆動ユニットが、前記蓋に対して位置合わせされた向きへ回転させられる、請求項３０に記載の食品処理装置。
【請求項３２】
前記第１の位置合わせ特徴部が、前記駆動ユニット及び前記蓋が互いに物理的に接触する方向に対して傾斜した第１表面を含み、前記第２の位置合わせ特徴部が、前記駆動ユニット及び前記蓋が互いに接触する方向に対して傾斜した第２表面を含む、請求項３０に記載の食品処理装置。
【請求項３３】
前記第１及び第２表面が、前記駆動ユニットの駆動結合部の回転軸と平行な軸の周りで湾曲される、請求項３２に記載の食品処理装置。
【請求項３４】
第２容器をさらに備え、
前記駆動ユニットが、第１運転モードにおいて前記第１容器と一緒に使用可能であり、
前記駆動ユニットが、第２運転モードにおいて前記第２容器と一緒に使用可能である、請求項３０に記載の食品処理装置。
【請求項３５】
前記駆動ユニットが、前記第１運転モードで使用されるとき、支持表面に対する第１の向きを有し、前記駆動ユニットが、前記第２運転モードで使用されるとき、前記支持表面に対する第２の向きを有し、前記駆動ユニットの前記第１の向きは、前記駆動ユニットの前記第２の向きと比較して垂直に上下反転される、請求項３４に記載の食品処理装置。
【請求項３６】
処理ツールを駆動するように構成された駆動ユニットであって、
第１及び第２の起動装置を含み、前記駆動ユニットが第１運転モードにおいて第１容器と一緒に使用可能であり、第２運転モードにおいて第２容器と一緒に使用可能であり、
前記第１運転モードにおいて、前記第１容器が前記駆動ユニットを支持し、前記第１起動装置のトリガが前記駆動ユニットを作動し、
前記第２運転モードにおいて、前記駆動ユニットが前記第２容器を支持し、前記第２起動装置のトリガが前記駆動ユニットを作動する、駆動ユニット。
【請求項３７】
前記第１起動装置が第１スイッチを含み、前記第１スイッチの閉鎖が前記駆動ユニットを作動する、請求項３６に記載の駆動ユニット。
【請求項３８】
前記第２起動装置が第２スイッチを含み、前記第２スイッチの閉鎖が前記駆動ユニットを作動する、請求項３６に記載の駆動ユニット。